(57)【要約】【課題】回転式塵芥収集車に塵芥を効果的に圧縮する機能を付加し、塵芥の収容効率を高める。【解決手段】回転板５との間で塵芥を圧縮する圧縮板８を設け、回転板５、圧縮板８、及びテールゲートドラム４で形成された閉じた空間内で塵芥を圧縮する。これにより、回転板５と圧縮板８とで圧縮されて前方へ飛び出そうとする塵芥をテールゲートドラム４で抑えることができるため、塵芥を確実に圧縮することができる。【選択図】図４
2009137727.tif 000002
【特許請求の範囲】
【請求項１】
車体後方側に開口部を有する塵芥収容箱と、下方へ向けて膨出した形状を成すテールゲートドラムを有し、塵芥収容箱の後方開口部に開閉自在に取付けられた塵芥投入箱と、テールゲートドラムに投入された塵芥を掻き上げる回転板と、回転板で掻き上げられた塵芥を塵芥収容箱内へ押し込む押込板とを備えた塵芥収集車において、
回転板で掻き上げた塵芥を上方から押さえる圧縮板を設け、回転板と圧縮板とテールゲートドラムとで形成される閉じた空間内で塵芥を圧縮することを特徴とする塵芥収集車。
【請求項２】
圧縮板の一端を押込板に回転可能に枢着した請求項１記載の塵芥収集車。
【請求項３】
圧縮板と押込板との間に形成される空間の前方開口部を覆うブロックプレートを設けた請求項１又は２記載の塵芥収集車。
【請求項４】
押込板の後退動作と連動して、ブロックプレートを押込板に対して前方へ迫り出すようにした請求項３記載の塵芥収集車。
【請求項５】
塵芥に対する圧縮板の押圧力を検知する検知器を設け、この検知器による規定値を超えた押圧力の検知結果に基づいて、圧縮板の圧縮動作を終了させるようにした請求項１〜４の何れかに記載の塵芥収集車。
【請求項６】
圧縮板の圧縮完了位置を検知する検知器を設け、規定時間経過後に完了位置の検知結果が得られない場合に、圧縮板の圧縮動作を終了させるようにした請求項１〜４の何れかに記載の塵芥収集車。
【請求項７】
圧縮板の車幅方向両端に圧縮板を回転駆動するプレスシリンダを取り付け、このプレスシリンダの油圧配管経路に分集流弁を設けた請求項２〜６の何れかに記載の塵芥収集車。
【請求項８】
回転板の停止位置を調節可能とした請求項１〜７の何れかに記載の塵芥収集車。
【請求項９】
塵芥収容箱内に所定量以上の塵芥が積載されると、その後の塵芥の積込み作業を圧縮板を押込板に収容した状態で行う請求項２〜８の何れかに記載の塵芥収集車。
【請求項１０】
塵芥に対する押込板の押圧力を検知する検知器を設け、この検知器による規定値を超えた押圧力の検知結果に基づいて、その後の塵芥の積込み作業を、圧縮板を押込板に収容した状態で行う請求項２〜９の何れかに記載の塵芥収集車。
【請求項１１】
圧縮板を作動させるか否かを選択するスイッチを具備した請求項１〜１０の何れかに記載の塵芥収集車。
【発明の詳細な説明】
【技術分野】
【０００１】
本発明は、塵芥収集車に関する。
【背景技術】
【０００２】
塵芥収集車は、回転式塵芥収集車（例えば特許文献１参照）とプレス式塵芥収集車（例えば特許文献２参照）に大別される。回転式塵芥収集車は、回転板を回転させながら塵芥を収容するため、１サイクルタイムにおける塵芥投入可能時間が比較的長く、作業効率が良いというメリットがある反面、塵芥を圧縮することなく塵芥収容箱内に収容するため収容効率に問題がある。一方、プレス式塵芥収集車は、塵芥を圧縮してから塵芥収容箱内に収容するため、収容効率を高めることができるが、１サイクルタイムにおける塵芥投入可能時間が比較的短く、作業効率が悪いという特性がある。
【０００３】
【特許文献１】特開２００５−２１３０２７号公報
【特許文献２】特開２００２−１９９０７号公報
【発明の開示】
【発明が解決しようとする課題】
【０００４】
本出願人は、回転式塵芥収集車に塵芥を圧縮する機能を付加することで塵芥の収容効率を高めるべく、図６に示すような塵芥収集車を開発した。この塵芥収集車１００は、押込板１０６の下端部に圧縮板１０８を回転可能に枢支固定し、この圧縮板１０８と回転板１０５とで塵芥を圧縮するようにしたものである。詳しくは、まず、塵芥投入箱１０３に投入された塵芥を回転板１０５で掻き上げ（矢印Ａで示す）、これと同時に圧縮板１０８を下降方向（図６で反時計回り）に回転させ（矢印Ｂで示す）、これにより回転板１０５と圧縮板１０８とで塵芥を圧縮する。その後、圧縮板１０８を上昇方向（図６で時計回り）に回転させて圧縮板１０８を押込み板１０６に収容すると共に、押込み板１０６で塵芥を前方へ押込み、塵芥を塵芥収容箱１０２内に収容する。尚、この塵芥収集車１００では、圧縮板１０８と押込板１０６との間の空間に塵芥が侵入することを防止するために、この空間を前方から覆うブロックプレート１１１が設けられている。
【０００５】
しかし、この塵芥収集車では、以下のような問題があった。すなわち、図６に示すように塵芥を圧縮する際、圧縮板１０８と回転板１０５の間に形成された空間の前方は開口しているため、上下から圧縮された塵芥が前方へ飛び出してしまう（矢印Ｃで示す）。これにより、塵芥を十分に圧縮することができない上、掻き上げた塵芥が再び塵芥投入箱内に落下してしまうため、作業効率を低下させることとなる。
【０００６】
本発明の目的は、回転式塵芥収集車に塵芥を効果的に圧縮する機能を付加し、塵芥の収容効率を高めることにある。
【課題を解決するための手段】
【０００７】
上記目的を達成するために、本発明は、車体後方側に開口部を有する塵芥収容箱と、下方へ向けて膨出した形状を成すテールゲートドラムを有し、塵芥収容箱の後方開口部に開閉自在に取付けられた塵芥投入箱と、テールゲートドラムに投入された塵芥を掻き上げる回転板と、回転板で掻き上げられた塵芥を塵芥収容箱内へ押し込む押込板とを備えた塵芥収集車において、回転板で掻き上げた塵芥を上方から押さえる圧縮板を設け、回転板と圧縮板とテールゲートドラムとで形成される閉じた空間内で塵芥を圧縮することを特徴とする。
【０００８】
このように、本発明の塵芥収集車では、回転板、圧縮板、及びテールゲートドラムで形成された閉じた空間内で塵芥を圧縮する。これにより、塵芥を圧縮する際、回転板と圧縮板との間に形成される空間の前方開口部をテールゲートドラムで覆うことができるため、圧縮により前方へ飛び出そうとする塵芥をテールゲートドラムで抑えることができる。従って、塵芥の飛び出しが防止され、確実に塵芥を圧縮することができると共に、圧縮した塵芥がテールゲートドラム内へ落下する事態を防止し、塵芥の収集効率の低下も回避できる。尚、「閉じた空間」とは、必ずしも完全に閉塞した空間を意味するものではなく、塵芥がこぼれ落ちるのを抑えられる程度の空間を意味し、具体的には、回転板と圧縮板の間の空間の前方開口部の少なくとも一部をテールゲートドラムで覆った状態のことを言う。
【０００９】
この圧縮板の一端を押込板に回転可能に枢着すると、圧縮板を一方に回転させることで回転板との間で塵芥を圧縮し、圧縮板を他方へ回転させることで圧縮板を押込板に収容することができる。この場合、圧縮板と押込板との間に形成される空間の前方開口部を覆うブロックプレートを設ければ、押込板と圧縮板との間の空間に塵芥が入り込んで圧縮板の回転動作に支障を来す恐れを回避できる。
【００１０】
押込板で塵芥を前方へ押込んだ後、押込板を後退させると、塵芥収容箱内に押込んだ塵芥が押込板の後退に伴って後方へ戻り、テールゲートドラム内に落下する恐れがある。この点に鑑み、押込板の後退動作と連動してブロックプレートを押込板に対して前方へ迫り出すようにすると、ブロックプレートで塵芥収容箱内を押さえながら押込板を後退させることができるため、テールゲートドラム内への塵芥の落下を防止することができると共に、圧縮変形した塵芥が復元することを抑制することができる。
【００１１】
ところで、圧縮板による圧縮動作を圧縮板の位置で制御する場合、例えば圧縮板が所定位置まで達したことを検知する検知器を設け、この検知器の検知結果に基づいて圧縮動作を終了させ、次の動作に移行する。このような制御方法によると、硬いゴミや大量のゴミが投入された場合、圧縮板が所定位置に達するまでこれらのゴミを圧縮することができないことがある。このような場合、検知器により圧縮板を検知することができないため、圧縮動作を終了させることができず、次の動作に移ることができないという事態が生じる恐れがある。この点に鑑み、圧縮動作を圧縮板の押圧力で制御すれば、上記不具合を解消できる。すなわち、塵芥に対する圧縮板の押圧力を検知する検知器を設け、この検知器による規定値を超えた押圧力の検知結果に基づいて、圧縮板の圧縮動作を終了させるようにすれば、硬いゴミや大量のゴミが投入された場合であっても、圧縮動作を完了して次工程に移ることができる。あるいは、圧縮板の圧縮完了位置を検知する検知器を設け、規定時間経過後に完了位置の検知結果が得られない場合に、圧縮板の圧縮動作を終了させるようにすれば、上記と同様の効果を得ることができる。
【００１２】
圧縮板の回転駆動は、例えば圧縮板の車幅方向両端に取り付けたプレスシリンダで行うことができる。この場合、一方のプレスシリンダ側に硬いゴミがあったり、あるいはゴミが一方のプレスシリンダ側に偏っていたりすると、他方のシリンダのみが伸びようとして左右のシリンダの伸び長さに差が生じ、圧縮板及びプレスシリンダに偏荷重が生じて動作不良や故障の原因となる恐れがある。この点に鑑み、両プレスシリンダの油圧配管経路に分集流弁を設ければ、両プレスシリンダの伸び長さを合わせることができ、圧縮板やプレスシリンダへの負荷を均等にすることができる。尚、分集流弁とは、２つのシリンダの同調作動を目的とした弁である（例えば、特開平０９−８９１２７号公報参照）。
【００１３】
上記のような塵芥の圧縮は、例えば回転板を停止させた状態で行われる。このとき、回転板の停止位置を変更すれば、回転板、圧縮板、及びテールゲートドラムで形成される空間の容積を変更し、塵芥の圧縮率を調節することができる。従って、回転板の停止位置を任意に調節可能とすることで、投入するゴミの質や量に応じてゴミの圧縮率を調節し、収容効率及び作業効率を高めることができる。
【００１４】
塵芥収容箱内の後方まで塵芥が積載された場合、圧縮板を作動させながら一連の作業を行うと、押込板による押込み時に塵芥収容箱内に積載された塵芥と圧縮板とが干渉し、圧縮板に過剰な負荷が加わって圧縮板を損傷する恐れがある。従って、塵芥収容箱内に所定以上の塵芥が積載されたら、圧縮板を押込板に収容した状態で塵芥の積込み作業を行うようにすれば、圧縮板に過剰な負荷が加わることを防止できる。この場合、圧縮板により塵芥を圧縮することができなくなるが、押込板による押圧力で塵芥を圧縮する効果を十分に得ることができる。例えば、塵芥に対する押込板の押圧力を検知する検知器を設け、この検知器による規定値を超えた押圧力の検知結果に基づいて、その後の塵芥の積込み作業を圧縮板を押込板に収容した状態で行うようにすればよい。
【００１５】
また、塵芥の種類や量によっては、上記の圧縮工程を省略したほうが作業効率が良い場合がある。従って、圧縮板を作動させるか否かを選択するスイッチを設けておけば、塵芥の種類や量によって塵芥圧縮工程の有無を容易に切換えることができ、効率よく塵芥の収集を行うことができる。
【発明の効果】
【００１６】
以上のように、本発明によると、圧縮板と回転板とで塵芥を圧縮してから塵芥収容箱内に収容することができるため、回転式塵芥収集車における塵芥の収容効率を高めることができる。
【発明を実施するための最良の形態】
【００１７】
以下に、本発明の実施形態を図面に基づいて説明する。
【００１８】
図１〜５は、本発明に係る塵芥収集車１の後方部分の断面図であり、外部から投入された塵芥を積載する工程を順に説明するものである。この塵芥収集車１は、塵芥収容箱２と、塵芥収容箱２の後方開口部に設けられ、上端部を枢着することにより開閉自在に取付けられた塵芥投入箱３とを備える。
【００１９】
塵芥投入箱３は、前方に塵芥収容箱２と連通した開口部と、後方に塵芥を投入するための投入口とを有する。塵芥投入箱３の下部には、外部から塵芥が投入されるテールゲートドラム４が設けられる。テールゲートドラム４は、下方へ向けて膨出した部分円筒状を成し、前方端が塵芥収容箱２の後方開口部の下端に配されている。
【００２０】
塵芥投入箱３には、テールゲートドラム４に収容された塵芥を掻き上げるための回転板５が設けられている。回転板５は、テールゲートドラム４の曲率中心とほぼ一致した車両幅方向（図１の紙面直交方向）の回転軸５ａを有し、回転軸の両端が塵芥収容箱２の側壁に取り付けられる。
【００２１】
塵芥投入箱３には、回転板５で掻き上げられた塵芥を前方へ押込む押込板６が設けられる。押込板６は、車両幅方向の回転軸６ａを有し、上端部が押込シリンダ７を介して塵芥投入箱３の上端部に連結され、この押込シリンダ７の伸縮により、押込板６の下端部が回転軸６ａを中心に前後方向に揺動する。
【００２２】
押込板６の下端部には、圧縮板８の一端部がピン９で枢支固定されている。圧縮板８は、プレスシリンダ１０を介して押込板６の上端部と連結されており、このプレスシリンダ１０の伸縮により、圧縮板８がピン９を中心に回転する。
【００２３】
圧縮板８が下がった状態では、押込板６と圧縮板８との間に前方へ開口した空間が形成される（図４参照）。この空間に塵芥が侵入すると、圧縮板８の回転動作が阻害される恐れがあるため、押込板６と圧縮板８との間の空間を前方から覆うブロックプレート１１を設けて、上記の不具合を防止している。具体的には、ブロックプレート１１の下端部を圧縮板８の他端部にピン１２で枢支固定し、ブロックプレート１１の上端部の車両幅方向両側に設けたローラ１３を押込板６に設けられたレール６ｂに嵌め込んでいる。プレスシリンダ１０を伸ばすと、圧縮板８が下方（図中の反時計回り）に回転し、これに伴ってブロックプレート１１の上端部のローラ１３がレール６ｂに沿ってスライドし、ブロックプレート１１が下方へ移動する。尚、圧縮板８を押込板６に枢着する位置は必ずしも下端である必要はなく、回転板５で掻き上げた塵芥を上方から押さえることができる位置であれば良いが、塵芥の圧縮効率を考慮すれば下端に枢着することが好ましい。
【００２４】
次に、塵芥収集車１による塵芥の積込動作を図１〜５に基づいて説明する。図１は塵芥積込完了時（塵芥投入前）、図２は掻き上げ準備時、図３は掻き上げ開始時、図４は塵芥圧縮時、図５は塵芥押込時をそれぞれ示している。
【００２５】
図１は、押込シリンダ７が伸びきった状態、すなわち、押込板６の下端部が最も前方位置にある状態を示している。このとき、プレスシリンダ１０は最も縮んだ状態とされ、圧縮板８及びブロックプレート１１が押込板６に一体的に収容されている。また、回転板５は、前方水平位置にあり、テールゲートドラム４の前方端部とおよそ同じ高さに位置している。この状態で、塵芥投入箱３の後方開口部からテールゲートドラム４内へ塵芥が投入される。
【００２６】
次に、回転板５を正方向（図２で時計回り方向）に回転させると共に、押込シリンダ７を収縮させて押込板６の下端部を後退させる（図２参照）。このとき、回転板５と押込板６とが干渉しないように、回転板５の回転速度及び押込板６の後退開始時を調整する。また、押込板６を後退動作と連動して、ブロックプレート１１を押込板６に対して前方へ迫り出させることにより、塵芥収容箱２内へ押込んだ塵芥をブロックプレート１１で押さえながら押込板６を後退させることができるため、塵芥が塵芥投入箱３側に逆流することを防止することができると共に、圧縮変形した塵芥が復元することを抑制することができる。プレスシリンダ１０は完全に伸ばしきるのではなく、後の塵芥圧縮時における圧縮ストロークの分だけ残し、図２で示すように中間部で止めておく。
【００２７】
その後、さらに押込板６を後退させて最後方位置で停止させる（図３参照）。このとき、回転板５は正方向に回転し続け、テールゲートドラム４に収容された塵芥の掻き上げを開始する。
【００２８】
次に、図４に示すように、回転板５をさらに回転させてテールゲートドラム４と協働して塵芥を前方へ掻き上げる。回転板５が所定の位置まで達したら回転板５を停止させると共に、プレスシリンダ１０を伸長させて圧縮板８を降下させ、回転板５で掻き上げた塵芥を圧縮板８で上方より圧縮する。詳しくは、回転板５をテールゲートドラム４の前方端部よりも下方位置で停止させると共に、圧縮板８をテールゲートドラム４の前方端部と同位置かそれよりも下方まで降下させることにより、圧縮板８、回転板５、及びテールゲートドラム４で形成される閉じた空間内で塵芥を圧縮する。これにより、圧縮板８と回転板５との間から前方に飛び出そうとする塵芥をテールゲートドラム４で抑えることができるため、塵芥を確実に圧縮することができると共に、飛び出した塵芥がテールゲートドラム４内に逆戻りする事態を回避できる。
【００２９】
圧縮板８の車幅方向両端に取付けられたプレスシリンダ１０の油圧配管経路には、分集流弁が設けられる（図示省略）。これにより、一方のプレスシリンダ１０側に硬いゴミがあったり、あるいはゴミが一方のプレスシリンダ１０側に偏っていたりした場合であっても、両プレスシリンダの伸び長さをあわせることができるため、プレスシリンダ１０及び圧縮板８の動作不良を回避できる。
【００３０】
この塵芥圧縮工程において、回転板５を停止させる位置を変更すれば、塵芥の圧縮率を調整することができる。例えば、回転板５をより上方で停止させ、回転板５と圧縮板８との間の空間を縮小すれば、塵芥の圧縮率を高めることができ、これとは逆に回転板５をより下方で停止させれば、塵芥の圧縮率を低くすることができる。このとき、回転板５の停止位置を任意に調節可能とすれば、塵芥の種類や量に応じて塵芥の圧縮率を調整することができる。回転板５の停止位置の調節方法としては、例えば、回転板５が所定位置に達したことを検知する検知器を設け、この検知器が検知してから回転板５を停止させるまでの時間をタイマー等で調節可能とすることが考えられる。あるいは、検知してから回転板５を停止させるまでの時間は一定とし、検知器の場所を変更可能とすることにより、回転板５の停止位置を調節することもできる。
【００３１】
この圧縮工程では、圧縮板８が圧縮完了位置に達することにより、あるいは、プレスシリンダ１０の伸び側油圧配管経路に設けた圧力検知器（図示省略）が所定の圧力を一定時間検知することにより、圧縮動作を終了させて次工程に移る。すなわち、通常は圧縮板８が所定位置に達したことを検知することで圧縮動作を終了させるが、圧縮板８が圧縮完了位置に達することができないような硬いゴミや大量のゴミが投入された場合は、プレスシリンダ１０の圧力を検知することで圧縮動作を終了させる。このように、圧縮動作を、圧縮板８の位置だけでなく、プレスシリンダ１０の油圧、すなわち塵芥に対する圧縮板８の押圧力でも制御するようにすれば、硬いゴミ等が投入された場合であっても圧縮を終了させて、確実に次工程に移ることができる。尚、上記のように圧縮板８の圧力を検知する他、圧縮板８の圧縮完了位置を検知する検知器を設け、規定時間経過後に完了位置の検知結果が得られない場合に、圧縮板８の圧縮動作を終了させるようにすることによっても、同様の効果を得ることができる（図示省略）。
【００３２】
その後、図５に示すように、プレスシリンダ１０を短縮して圧縮板８及びブロックプレート１１を押込板６に収容すると共に、回転板５を正方向に回転させ、圧縮した塵芥を水平位置まで持ち上げて回転板５を停止させる。そして、押込シリンダ７を伸長して押込板６の下端部を前方へ振り出し、これにより回転板５で持ち上げた塵芥を塵芥収容箱２側へ押込む（図１参照）。このとき、押込板６の前方には圧縮板８及びブロックプレート１１が配されているため、押込板６を介して圧縮板８及びブロックプレート１１で塵芥を前方へ押込むこととなる。押込シリンダ１０が最長状態となったとき、押込板６の押込面（図１では圧縮板８の前面）が斜め上方を向くこととなり、これにより塵芥を斜め上方へ積み上げて、塵芥をより効率よく積込むことができる。尚、圧縮板８及びブロックプレート１１を押込板６に収容するタイミングは、上記のように押込板６による塵芥の押込みの直前である他、押込板６による塵芥の押込みと同時に収容してもよい。このとき、図１に示す押込み完了までに圧縮板８及びブロックプレート１１が押込板６に収容されることが望ましい。
【００３３】
以上のサイクルを繰り返すことにより、テールゲートドラム４に投入した塵芥を塵芥収容箱２へ積載する。尚、塵芥収容箱２の後方まで塵芥が積載されると、押込板６による押込力が大きくなる。この押込板６の押込力、すなわち押込シリンダ７の伸び側油圧配管経路に設けた油圧検知器（図示省略）が一定以上の油圧を検知すると、その後の塵芥積載サイクルがプレスシリンダ１０を最短状態としたまま行われる。このように、プレスシリンダ１０を最短状態としたまま、すなわち圧縮板８を押込板６に収容した状態のまま、塵芥の積載を行うことにより、塵芥収容箱２内へ塵芥を押込む際（図１参照）に圧縮板８に過剰な負荷が加わることを防止し、圧縮板８が損傷する事態を回避できる。また、圧縮板８を駆動しないため、圧縮板８による塵芥の圧縮は行われないが、塵芥収容箱２の後方まで塵芥が積載されているため、押込板６の押し込みにより塵芥を圧縮することができる。
【００３４】
上記に示した一連の塵芥積層サイクルにおいて、回転板５の回転速度や停止のタイミング、あるいは圧縮板８の下降・上昇の速度やタイミングを調整すれば、様々な特性を得ることができる。例えば、回転板５をなるべく停止させることなく上記の一連の動作を行うようにすれば、サイクルタイムの短縮が図られ作業効率を高めることができる。
【００３５】
あるいは、塵芥圧縮工程において、回転板５を停止させて圧縮板８を圧縮完了位置まで降下させた後（図４の状態）、圧縮板８を停止させた状態で回転板５を上昇させると、塵芥の２次圧縮効果を得ることができる。このような２次圧縮は、特にペットボトル等の嵩高の塵芥の場合に有効である。また、回転板５を停止させて圧縮板８を圧縮完了位置まで降下させた後（図４の状態）、回転板５と圧縮板８の間隔を維持しながら、あるいは間隔をさらに縮小しながら、回転板５及び圧縮板８の上昇を行えば、塵芥を圧縮した状態を維持して、あるいはさらに圧縮して、塵芥収容箱へ積載することができる。
【００３６】
また、塵芥の種類や量によっては、上記の圧縮工程を省略したほうが作業効率が良い場合がある。このような場合、圧縮板８及びブロックプレート１１を押込板６に格納したまま、すなわちプレスシリンダ１０を最も縮小させた状態で、作業を行えばよい。このように圧縮板８を作動させない状態で塵芥の積込みを行うモードと、上記のように圧縮板８で圧縮して塵芥の積込みを行うモードとの切換を行うスイッチを設けておけば、塵芥の種類によって塵芥圧縮工程の有無を容易に切換えることができ、効率よく塵芥の収集を行うことができる。
【図面の簡単な説明】
【００３７】
【図１】塵芥収集車の後部の断面図（塵芥積込完了時）である。
【図２】塵芥収集車の後部の断面図（掻き上げ準備時）である。
【図３】塵芥収集車の後部の断面図（掻き上げ開始時）である。
【図４】塵芥収集車の後部の断面図（塵芥圧縮時）である。
【図５】塵芥収集車の後部の断面図（塵芥押込時）である。
【図６】本出願人が先に開発した塵芥収集車の断面図である。
【符号の説明】
【００３８】
１     塵芥収集車
２     塵芥収容箱
３     塵芥投入箱
４     テールゲートドラム
５     回転板
６     押込板
７     押込シリンダ
８     圧縮板
１０   プレスシリンダ
１１   ブロックプレート
【図１】
2009137727.tif 000003
【図２】
2009137727.tif 000004
【図３】
2009137727.tif 000005
【図４】
2009137727.tif 000006
【図５】
2009137727.tif 000007
【図６】
2009137727.tif 000008